(57)【要約】【課題】酢飯および寿司種をそれぞれ適度の温度に解凍することができる電子レンジ用食品加熱容器および電子レンジで解凍可能な容器入り冷凍寿司を提供する。【解決手段】収納容器１１が、細長く形成され、上部に開口２４を有する収納部２１と、開口２４を開閉可能に設けられた蓋２２とを有している。蓋２２は、内側面２５ａの中央部にアルミニウム粉末を含む塗料で網目模様２７が印刷され、内側面２５ａの両端部にその塗料でベタ塗り部分２８が設けられている。冷凍寿司１２が、酢飯３１の上に寿司種３２を載せて成り、蓋２２により寿司種３２の上方が覆われるよう収納部２１に収納されている。【選択図】図１
0003120339.tif 000002
【実用新案登録請求の範囲】
【請求項１】
開口を有する収納部と、前記開口を開閉可能に設けられた蓋とを有し、
前記蓋は内側面に、アルミニウム粉末を含む塗料で印刷された部分と前記塗料で印刷されていない部分とを交互に有することを、
特徴とする電子レンジ用食品加熱容器。
【請求項２】
請求項１記載の電子レンジ用食品加熱容器と冷凍寿司とを有し、
前記電子レンジ用食品加熱容器は細長い直方体状であって、前記開口は細長い長方形状であり、前記蓋は両端部にベタ塗り部分を有し、各ベタ塗り部分の間に前記塗料が網目模様に印刷された部分を有し、
前記冷凍寿司は細長い形状であって細長い酢飯の上に寿司種を載せて成り、前記収納部に収納されていることを、
特徴とする電子レンジで解凍可能な容器入り冷凍寿司。
【考案の詳細な説明】
【技術分野】
【０００１】
本考案は、電子レンジ用食品加熱容器および電子レンジで解凍可能な容器入り冷凍寿司に関する。
【背景技術】
【０００２】
従来、保存するために冷凍された寿司を解凍する方法として、寿司種の表面や上方をアルミニウム箔で覆って、酢飯の方が寿司種よりも温かくなるよう、電子レンジで解凍するものがある（例えば、特許文献１、２または３参照）。
【０００３】
【特許文献１】特公平５−６５１３９号公報
【特許文献２】特開２００４−９７１７９号公報
【特許文献３】特開２００１−２７５５９１号公報
【考案の開示】
【考案が解決しようとする課題】
【０００４】
しかしながら、特許文献１、２および３に記載のような従来の冷凍寿司の解凍方法では、アルミニウム箔が電子レンジのマイクロ波を全て反射するため、酢飯および寿司種の解凍具合を調節するのが難しく、寿司種が解凍されにくく、酢飯だけが熱くなりすぎるという課題があった。
【０００５】
本考案は、このような従来の課題に着目してなされたもので、酢飯および寿司種をそれぞれ適度の温度に解凍することができる電子レンジ用食品加熱容器および電子レンジで解凍可能な容器入り冷凍寿司を提供することを目的とする。
【課題を解決するための手段】
【０００６】
上記目的を達成するために、本考案に係る電子レンジ用食品加熱容器は、開口を有する収納部と、前記開口を開閉可能に設けられた蓋とを有し、前記蓋は内側面に、アルミニウム粉末を含む塗料で印刷された部分と前記塗料で印刷されていない部分とを交互に有することを、特徴とする。
【０００７】
本考案に係る電子レンジ用食品加熱容器は、収納部に主に冷凍食品を収納して電子レンジで解凍するのに使用される。冷凍食品を収納し、蓋を上側にして電子レンジで解凍すると、収納部の開口を開閉可能に設けられた蓋の内側面に、アルミニウム粉末を含む塗料で印刷された部分と印刷されていない部分とを交互に有しているため、印刷された部分のアルミニウム粉末が電子レンジの上部から照射されるマイクロ波を反射し、印刷されていない部分がマイクロ波を通過させる。このため、冷凍食品の上側が温まりすぎるのを防ぎ、適度に解凍することができる。解凍された冷凍食品は開口から取り出して、食べることができる。蓋の内側面の印刷された部分と印刷されていない部分との割合は、収納する食品に応じて変えることが好ましく、それにより冷凍食品の解凍具合を調節することができる。
【０００８】
本考案に係る電子レンジ用食品加熱容器で、収納部に収納する冷凍食品は、酢飯の上に寿司種を載せた冷凍寿司から成ることが好ましい。この場合、寿司種の上方が蓋の内側面で覆われるよう、冷凍寿司を収納部に収納する。これを電子レンジで加熱解凍することにより、酢飯が温かく、寿司種が適度に冷えた状態に解凍することができる。
【０００９】
本考案に係る電子レンジで解凍可能な容器入り冷凍寿司は、本考案に係る電子レンジ用食品加熱容器と冷凍寿司とを有し、前記電子レンジ用食品加熱容器は細長い直方体状であって、前記開口は細長い長方形状であり、前記蓋は両端部にベタ塗り部分を有し、各ベタ塗り部分の間に前記塗料が網目模様に印刷された部分を有し、前記冷凍寿司は細長い形状であって細長い酢飯の上に寿司種を載せて成り、前記収納部に収納されていることを、特徴とする。
【００１０】
本考案に係る電子レンジで解凍可能な容器入り冷凍寿司は、電子レンジで解凍すると、寿司種の上方を覆う蓋の内側面に、アルミニウム粉末を含む塗料で網目模様が印刷されているため、網目模様の網の部分のアルミニウム粉末が電子レンジの上部から照射されるマイクロ波を反射し、網目模様の目の部分がマイクロ波を通過させる。蓋の両端部のベタ塗り部分は、冷凍寿司の両端が中間部分に比べて温まりやすいことから、加熱程度に差が出ないようマイクロ波を反射して調節する。このため、酢飯が温かく、寿司種が適度に冷えた状態に解凍することができる。解凍された冷凍寿司は開口から取り出して、食べることができる。網目模様の網の部分の太さや目の部分の大きさは、自由に設定しておくことができ、それにより冷凍寿司の解凍具合を調節することができる。
【００１１】
このように、本考案に係る電子レンジで解凍可能な容器入り冷凍寿司は、冷凍により長期間保存することができ、食べる際に電子レンジにより解凍して、容易に美味しく食べることができる。
【００１２】
なお、冷凍寿司は、例えば、さんま姿寿司から成る。この場合、寿司種のさんまを酢飯が温かく、寿司種が適度に冷えた状態に適度に解凍することができ、さんま姿寿司を鮮度を落とすことなく美味しく食べることができる。
【考案の効果】
【００１３】
本考案によれば、酢飯および寿司種をそれぞれ適度の温度に解凍することができる電子レンジ用食品加熱容器および電子レンジで解凍可能な容器入り冷凍寿司を提供することができる。
【考案を実施するための最良の形態】
【００１４】
以下、図面に基づき本考案の実施の形態について説明する。
図１および図２は、本考案の実施の形態の電子レンジで解凍可能な容器入り冷凍寿司を示している。
図１および図２に示すように、電子レンジで解凍可能な容器入り冷凍寿司は、収納容器１１と冷凍寿司１２とを有している。収納容器１１は、電子レンジ用食品加熱容器であり、内部に冷凍寿司１２が収納される。
【００１５】
図１に示すように、収納容器１１は、１枚の紙を箱状に組み立てて形成され、細長い直方体形状を成し、収納部２１と蓋２２とを一体的に有している。収納部２１は、細長い矩形状の底部（図示せず）と、底部の周縁から底部に対して垂直に伸びて設けられた４つの側壁部２３ａ，２３ｂ，２３ｃ，２３ｄとを有している。収納部２１は、各側壁部２３ａ，２３ｂ，２３ｃ，２３ｄの上端により形成された細長い長方形状の開口２４を有している。
【００１６】
蓋２２は、収納部２１の長さ方向に沿った一方の側壁部２３ｄの上端２３ｅに連続して設けられている。蓋２２は、その側壁部２３ｄの上端２３ｅで折り曲げて、開口２４を開閉可能となっている。蓋２２は、覆い部２５と縁部２６とを有している。覆い部２５は、開口２４とほぼ同じ大きさで開口２４を覆う部分である。縁部２６は、覆い部２５の、側壁部２３ｄの側を除く３つの周縁から垂直に伸びている。蓋２２は、閉じたとき、覆い部２５が開口２４を覆い、縁部２６が側壁部２３ｄを除いた３つの側壁部２３ａ，２３ｂ，２３ｃの上部外面を覆うようになっている。図１および図２に示すように、蓋２２は、覆い部２５の内側面２５ａの長さ方向の中央部にアルミニウム粉末を含む塗料で網目模様２７が印刷され、覆い部２５の内側面２５ａの長さ方向の両端部にその同じ塗料でベタ塗り部分２８が設けられている。
【００１７】
冷凍寿司１２は、酢飯３１の上に寿司種３２を載せて成り、冷凍されている。冷凍寿司１２は、例えば、寿司種３２がさんまの生の切身から成る、さんま姿寿司である。冷凍寿司１２は、蓋２２の覆い部２５により寿司種３２の上方が覆われるよう、収納部２１に収納されている。
【００１８】
なお、具体的な一例では、収納容器１１は、長さが２４．３ｃｍ、幅が５．１ｃｍ、高さが６．４ｃｍである。蓋２２は、縁部２６の高さが３ｃｍである。網目模様２７は、網の部分２７ａの太さが８ｍｍ、目の部分２７ｂの太さが５ｍｍである。
【００１９】
次に、作用について説明する。
電子レンジで解凍可能な容器入り冷凍寿司は、電子レンジで解凍すると、寿司種３２の上方を覆う蓋２２の覆い部２５の内側面２５ａに、アルミニウム粉末を含む塗料で網目模様２７が印刷されているため、網目模様２７の網の部分２７ａのアルミニウム粉末が電子レンジの上部から照射されるマイクロ波を反射し、網目模様２７の目の部分２７ｂがマイクロ波を通過させる。また、蓋２２の覆い部２５の内側面２５ａの両端部にベタ塗り部分２８が設けられているため、両端部でマイクロ波を反射し、細長い寿司種３２の両端に電子レンジのマイクロ波があたりすぎるのを防ぐ。
【００２０】
これにより、酢飯３１が温かく、寿司種３２が適度に冷えた状態に適度の温度に解凍することができる。また、寿司種３２の両端が中央に比べてはやく解凍して温まりすぎるのを防ぎ、寿司種３２全体を適度の温度で均一に解凍することができる。解凍された冷凍寿司１２は開口２４から取り出して、そのまままたは醤油などを付けて食べることができる。網目模様２７の網の部分２７ａの太さや目の部分２７ｂの大きさは自由に設定しておくことができ、それにより酢飯３１および寿司種３２の解凍具合を調節することができる。
【００２１】
このように、本考案に係る電子レンジで解凍可能な容器入り冷凍寿司は、冷凍により長期間保存することができ、食べる際に電子レンジにより解凍して、容易に美味しく食べることができる。特に、冷凍寿司１２がさんま姿寿司から成る場合、家庭用電子レンジで２分３０秒程度の加熱時間で、寿司種３２のさんまを適度の温度に解凍することができる。このため、自宅などで電子レンジにより解凍するだけで、寿司店で提供されるような新鮮で美味しい寿司を、家庭で簡単に味わうことができる。
【００２２】
なお、蓋２２は、２枚の覆い部２５を有し、それらの一部が重なる状態に配置され、一方の覆い部２５を他方の覆い部２５に対してずらすことが可能になっていてもよい。この場合、一方の覆い部２５を他方の覆い部２５に対してずらすことにより、酢飯３１と寿司種３２との加熱による温度差を好みの状態に調節することができる。
【図面の簡単な説明】
【００２３】
【図１】本考案の実施の形態の電子レンジで解凍可能な容器入り冷凍寿司の、収納容器の蓋を開けた状態を示す斜視図である。
【図２】図１に示す電子レンジで解凍可能な容器入り冷凍寿司の、収納容器の蓋の覆い部の内側面を示す平面図である。
【符号の説明】
【００２４】
１１  収納容器
２１  収納部
２２  蓋
２３ａ，２３ｂ，２３ｃ，２３ｄ  側壁部
２４  開口
２５  覆い部
２６  縁部
２７  網目模様
２８  ベタ塗り部分
３１  酢飯
３２  寿司種
【図１】
0003120339.tif 000003
【図２】
0003120339.tif 000004